(57)【特許請求の範囲】
【請求項１】
両端に同軸コネクタを設けたハウジング内に雑音除去回路を具備し、該雑音除去回路及び同軸コネクタ連結部のアース導体の厚みを伝送信号周波数の表皮効果による表皮の深さの２倍以上とし、
前記雑音除去回路が、双方の同軸コネクタの芯線導体同士をフェライトコアに巻回された第１のコイルを介して連結すると共に、外被導体同士を前記フェライトコアに巻回された第２のコイルを介して連結して成り、
更に、前記第１及び第２のコイル双方の少なくとも一端に夫々コンデンサを介在させて、前記第１のコイル及び該コイルの端部に設けた前記コンデンサに並列に第１のチョークコイルを設けると共に、前記第２のコイル及び該コイルの端部に設けた前記コンデンサに並列に第２のチョークコイルを設けて成ることを特徴とする雑音除去装置。
【請求項２】
一方の同軸コネクタがプラグ型であり、他方の同軸コネクタがジャック型である請求項１記載の雑音除去装置。
【請求項３】
同軸コネクタを左右端部間を絶縁した略筒状ハウジングの両端に設けた請求項１又は２記載の雑音除去装置。
【請求項４】
双方の同軸コネクタを夫々独立したハウジングに形成すると共に、双方のハウジングを同軸ケーブルを介して接続し、コイルを前記２つのハウジングの何れか一方のハウジング内に設けた請求項１又は２記載の雑音除去装置。
【請求項５】
第１及び第２のコイルを２個のフェライトコアに直列巻回して形成し、一方のフェライトコアが閉磁型コアで、他方が開磁型コアである請求項１乃至４の何れかに記載の雑音除去装置。
【請求項６】
第１のコイルの導体を芯線、第２のコイルの導体を該芯線を覆う外被導体として形成し、同軸ケーブル状にコイル導体を形成した請求項１乃至５の何れかに記載の雑音除去装置。
【請求項７】
フェライトコアを基板に直交交差するよう配置し、コイル導体を前記フェライトコアに巻回する形状に該基板上にパターン形成してコイルを形成した請求項１乃至５の何れかに記載の雑音除去装置。
【請求項８】
変圧器をコイルに直列接続して成る請求項１乃至７の何れかに記載の雑音除去装置。
【請求項９】
閉磁型コアを複数のカットコアで形成した請求項５乃至７の何れかに記載の雑音除去装置。
【発明の詳細な説明】
【０００１】
【発明の属する技術分野】
本発明は、同軸ケーブルを用いた信号伝送路に侵入する雑音を低減するために同軸ケーブルに介在させる雑音除去装置に関する。
【０００２】
【従来の技術】
例えばセンター局から各加入者宅にテレビ信号を送出する一方で、各加入者宅からセンター局側へも信号を伝送することが可能な双方向ＣＡＴＶシステムでは、加入者宅からセンター局側へ伝送する上り信号周波数は１０ＭＨｚ〜５５ＭＨｚが多く利用されている。ところが、各家庭に設置されている電子機器から発生する雑音電波の周波数もこの周波数帯であることから、これらの電子機器から発生する電波に起因して上り信号へ雑音が流入してセンター局側へ影響を与える流合雑音が問題となる。
そのため、この雑音を削減する工夫が検討され、同軸ケーブルの中心導体に発生した雑音に対してはハイパスフィルタを設けて対応したり、アース導体である外被導体に発生した雑音に対しては例えば特開平７−２９７０３５号公報に開示されている雑音除去ユニットを設けたりして対応していた。これは、リング状の閉磁型フェライトコアに同軸ケーブルを巻回してコイルを構成し、その芯線を設置する対象の同軸ケーブルの芯線に直列に、外被導体を設置する対象の外被導体に直列に接続し、中継増幅器とケーブルの間に挿入する構成となっている。
【０００３】
【発明が解決しようとする課題】
しかし、中心導体と外被導体の双方の雑音を除去する場合は、ハイパスフィルタを有するユニットとフェライトの同軸ケーブルを巻回した雑音除去ユニットの双方が必要となり、その取付けが面倒であったし、双方を取付けても必ずしも良好な雑音除去効果が生ずるとは限らなかった。
また、ＣＡＴＶ幹線は同軸ケーブルに機器動作のための大電流が信号に重畳されて伝送されていることが多く、その場合上記公報に開示された雑音除去ユニットをＣＡＴＶ幹線に使用する場合は、フェライトコアに巻回する同軸ケーブルを電流を通電可能な太径のケーブルとする必要があり、フェライトリングに巻回し難しいし、巻回したとしてもコイルの曲率を小さくできないためコイルは大きなものとなり、ユニットが大型化してしまい実用的ではなくなる。そのため、既存のＣＡＴＶ施設等に容易に設置できない。
また、上記コイルは、雑音除去効果を高めるには雑音に対して大きなインダクタンスとする必要があり、比較的低い上記上り信号周波数帯域では、同軸ケーブルをフェライトリングに多数巻回させる必要があり、この点からもユニットが大型化していた。
【０００４】
そこで、本発明は上記問題点に鑑み、同軸ケーブルへ容易に装着できると共に、中心導体及び外被導体の双方の雑音を効果的に除去し、更に大電流が重畳されている同軸ケーブルであっても容易に設置できる小型な雑音除去装置を提供することを課題とする。
【０００５】
【課題を解決するための手段】
上記課題を解決するため、請求項１の発明に係る雑音除去装置は、両端に同軸コネクタを設けたハウジング内に雑音除去回路を具備し、該雑音除去回路及び同軸コネクタ連結部のアース導体の厚みを伝送信号周波数の表皮効果による表皮の深さの２倍以上とし、前記雑音除去回路が、双方の同軸コネクタの芯線導体同士をフェライトコアに巻回された第１のコイルを介して連結すると共に、外被導体同士を前記フェライトコアに巻回された第２のコイルを介して連結して成り、更に、前記第１及び第２のコイル双方の少なくとも一端に夫々コンデンサを介在させて、前記第１のコイル及び該コイルの端部に設けた前記コンデンサに並列に第１のチョークコイルを設けると共に、前記第２のコイル及び該コイルの端部に設けた前記コンデンサに並列に第２のチョークコイルを設けて成ることを特徴とする。
【０００６】
請求項２の発明は、請求項１の発明において、一方の同軸コネクタがプラグ型であり、他方の同軸コネクタがジャック型であることを特徴とする。また、請求項３の発明は、請求項１又は２の発明において、同軸コネクタを左右端部間を絶縁した略筒状ハウジングの両端に設けたことを特徴とする。
【０００７】
請求項４の発明は、請求項１又は２の発明において、双方の同軸コネクタを夫々独立したハウジングに形成すると共に、双方のハウジングを同軸ケーブルを介して接続し、コイルを前記２つのハウジングの何れか一方のハウジング内に設けたことを特徴とする。また、請求項５の発明は、請求項１乃至４の何れかの発明において、第１及び第２のコイルを２個のフェライトコアに直列巻回して形成し、一方のフェライトコアが閉磁型コアで、他方が開磁型コアであることを特徴とする。
【０００８】
請求項６の発明は、請求項１乃至５の何れの発明において、第１のコイルの導体を芯線、第２のコイルの導体を該芯線を覆う外被導体として形成し、同軸ケーブル状にコイル導体を形成したことを特徴とする。
【０００９】
請求項７の発明は、請求項１乃至５の何れかの発明において、フェライトコアを基板に直交交差するよう配置し、コイル導体を前記フェライトコアに巻回する形状に該基板上にパターン形成してコイルを形成したことを特徴とする。
【００１０】
請求項８の発明は、請求項１乃至７の何れかの発明において、変圧器をコイルに直列接続して成ることを特徴とする。また、請求項９の発明は、請求項５乃至７の何れかに記載の発明において、閉磁型コアを複数のカットコアで形成したことを特徴とする。
【００１１】
【発明の実施の形態】
以下、本発明を具体化した実施の形態を、図面に基づいて詳細に説明する。図１は雑音除去装置の一例を示し、中心軸から半分を断面で示した側面図である。図において、１は雑音除去回路４を収容する筒状のハウジング、２は雌ねじを有する同軸コネクタ（以下、ジャック型コネクタとする。）、３は雄ねじを有する同軸コネクタ（以下、プラグ型コネクタとする。）であり、ハウジング１の両端開口部に夫々設けられている。
【００１２】
ハウジング１の内側には、ハウジング１と共に絶縁材で形成され、雑音除去回路４を保持する保持筒５が設けられ、保持筒５の両端はコネクタ２，３の外被導体に連結された円筒状のシールド体７ａ，７ｂが装着されている。このシールド体７ａ，７ｂは保持筒内方に向かって漏斗状に窄められて形成され、雑音除去回路４から延びた細径の同軸ケーブル８が接続されており、導電性の良い金属で形成されている。
ジャック型コネクタ２に接続された一方のシールド体７ａは内部にコネクタ２の中心コンタクト９を保持する絶縁材からなる保持材１０ａが設けられ、コネクタ２の中心コンタクト９が保持されると共に同軸ケーブル８の中心導体１２をこの中心コンタクト９に接続している。
【００１３】
他方のシールド体７ｂはプラグ型コネクタ３と外部導体即ちネジ部３ａと一体に形成され、内部にコネクタ３の中心コンタクト（中心導体把持ピン）１６を保持する絶縁体からなる保持材１０ｂが設けられ、コネクタ３の中心コンタクト１６が設けられると共に、同軸ケーブル８の中心導体１２をこの中心コンタクト１６に接続している。
そして、プラグ型コネクタ３のネジ部、ジャック型コネクタ２の外部導体である雌ネジ１３のハウジング１への連結部、シールド体７ａ，７ｂ、同軸ケーブル８の外被導体１４等のアース導体の厚みは何れも０．１ｍｍ以上で形成されている。
尚、シールド体７ａ，７ｂと同軸ケーブル８の外被導体１４との接続部は、Ａ１，Ａ２の拡大図に示すように、シールド体７ａ，７ｂを同軸ケーブル８の外被導体１４の内側に入り込ませ、フェルール１５により圧着して密着接続されている。
【００１４】
ここで、アース導体の厚みについて説明すると、伝送信号周波数に対して表皮深さの４倍以上としてある。例えば銅の表皮効果による表皮深さｈは次式で計算される。
ｈ＝０．０６６／√ｆ 但し：ｆ（ＭＨｚ）
この計算式より伝送信号周波数を１０ＭＨｚとすると、ｈ＝０．０２０８７ｍｍとなる。そのため、いずれのアース導体部も０．１ｍｍ以上とすることで、表皮深さの４倍以上の厚みとすることができる。
このように、アース導体の厚みを表皮深さの４倍以上とすることで、アース導体に誘起した伝送信号周波数近傍の雑音は、アース導体の表皮のみに流れ、内側に現れることが無くなる。そのため、伝送信号のアース導体側成分はアース導体の内部を流れることで、伝送信号自体に雑音が重畳されることが無くなる。従って、雑音除去装置を設けることにより新たな雑音の侵入が発生することがない。
但し、実験の結果、アース導体の厚みを表皮深さの４倍以上とすることによる効果は信号の伝送線路長が同軸ケーブルとが介在等して長くなった場合に大きな効果を得ることができるが、信号の伝送線路長が比較的短い図１のような雑音除去装置では、表皮深さの２倍程度の厚みであっても外部雑音が伝送信号自体に重畳されることが無く、十分な効果を奏する。
【００１５】
図２は雑音除去回路４の一例を示し、図示するように細い同軸ケーブル８を巻回したコイルから成り、例えば（ａ）に示すように棒状の開磁型フェライトコア１８ａに巻回して形成されたもの、或いは（ｂ）に示すように閉磁型フェライトコア１８ｂに同軸ケーブル８を巻回したコイルに（ａ）のコイルを直列に接続したものが使用されている。
【００１６】
この図２のコイルの雑音除去特性（損失特性）を示すと図１０のようになっている。但し、図１０において、Ｐは閉磁路のみで形成したコイルの特性、Ｑは開磁路のみで形成したコイルの特性を示し、Ｒが双方を直列に接続したコイルの特性を示している。尚、図１０において、閉磁型フェライトコアはｓｔｅｗａｒｄ製３５Ｔ０３７５−３０Ｐを使用し、１Ｃ同軸ケーブルを巻回して巻回数は８ターンであり、開磁型フェライトコアは日立金属製ＮＢ２５Ｓφ６×２０ｍｍを使用し、巻回数は２０ターンである。
図１０に示すように、コイルは閉磁型フェライトコア、開磁型フェライトコアで形成したコイル、或いは双方を直列接続したコイルを用いることで外被導体（アース導体）に流入する雑音が中心導体に侵入するのを防止できる。特に、ＣＡＴＶ線路において流合雑音が問題となる１０ＭＨｚ〜５５ＭＨｚの周波数帯で、閉磁型コイルと開磁型コイルを直列接続したコイルの場合、効果的に雑音除去できる。尚、雑音除去回路は閉磁コアに同軸コイルを巻回したコイルのみで形成しても良い。
【００１７】
図３は雑音除去回路の他の例を示す外観説明図であり、ハイパスフィルタ１９（以下、ＨＰＦとする。）を上記コイルに直列接続して形成している。この場合、回路を収容するハウジング２０は、コイル部２０ａとＨＰＦ部２０ｂとで独立して形成され、コイル部ハウジング２０ａは絶縁体で形成され、図２に示すようなコイルから成る雑音除去回路２１が収納されている。そして、ＨＰＦ部ハウジング２０ｂは導体で形成され、内部にシールド空間を形成し、その中にＨＰＦ１９を組み込まれている。
このＨＰＦ１９は例えばコンデンサとコイルとを組み合わせて１０ＭＨｚ以下をカットするよう形成された回路であり、中心導体に侵入した雑音を効果的に削減する。
このように、ＨＰＦを更に設けることで、中心導体に侵入した雑音も削減でき、コイルと合わせて外被導体と中心導体の双方に誘起される雑音を大きく削減することができる。
【００１８】
更に、上記図３のコイル及びＨＰＦの双方を具備した雑音除去装置は、コイルが雑音源側に配置されるように、例えばＣＡＴＶシステムの信号伝送路の途中にあっては加入者宅側に、また加入者宅内にあっては端末機器側にコイルを配置されるよう装着するとよい。
これは、雑音源側にＨＰＦ１９が配置された場合、外被導体に入り込んだ雑音の一部がＨＰＦ１９内でモード変換により中心導体に入り込んでしまい、その後コイルから成る雑音除去回路２１により外被導体の雑音を除去しても、中心導体の雑音は除去されずに残ってしまう場合があるが、雑音除去回路２１で先に外被導体の雑音を除去することでＨＰＦ１９では中心導体に入り込む外被導体からの雑音は無くなり、そのため雑音低減効果が大きいことによる。
【００１９】
このように特定の順序でＨＰＦとコイルを配列することで、中心導体と外被導体に乗った雑音を効果的に除去できるし、本装置を１個装着するだけで、中心導体及び外被導体の双方の雑音を除去できるので、複数の装置を装着する必要が無くなり、装着操作も容易となる。
尚、上記実施の形態のプラグ型コネクタとジャック型コネクタの配置は逆であっても何ら問題ない。また、同軸コネクタはＦ型としたが、Ｆ型以外の例えばＦＴ或いはＭ型とすることもできる。更に、コイル部ハウジングとＨＰＦ部ハウジングとの接続部は上述する同軸コネクタを使用した連結構造としても良く、そうすれば、堅牢な接続を維持したまま着脱操作が容易にでき、ＨＰＦとコイルの組み合わせの変更が容易に可能となり、希望する特性のものを容易に形成できる。
【００２０】
図４は雑音除去装置の他の例を示し、上記実施の形態との相違点を説明すると、一方のコネクタをＦ型プラグ２３、他方をＦ型プラグに対応したＦ型ジャック２４とすると共に、双方のコネクタを本体２５から同軸ケーブル２６ａ，２６ｂを伸ばすことで本体２５と分離している。
このようにハウジングとコネクタとの間に同軸ケーブルを介在させてコネクタ部に自由度を持たせれば、例えば屋内に設けられたＣＡＴＶ端子等に直接接続する場合、大きな突出部を有することがなく容易に装着できるし、邪魔になることもない。
【００２１】
尚、同軸コネクタは、何れの実施の形態も一方がプラグ型、他方がジャック型であるが、双方をプラグ型としても良いし、双方をジャック型で形成しても良い。また、装着する信号伝送路が電力も合わせて伝送する方式の場合は、ＨＰＦ及びコイルに並列に電流通過回路等を設けて構成すればよい。
【００２２】
図５は本発明の雑音除去装置を示し、（ａ）は外観図、（ｂ）は断面説明図である。図５において、３２はＦＴ型プラグから成る同軸コネクタ（以下プラグ型コネクタとする）、３３はＦＴ型ジャックから成る同軸コネクタ（以下ジャック型コネクタとする）である。両コネクタは内部に回路形成部３７を設けた樹脂製の筒状ハウジング３１の両端開口部に螺入して連結固定され、双方のコネクタ３２，３３は互いに絶縁されている。また、連結部はゴム製Ｏリング３５を設けて雨水に対して筒体内をシールドしている。
【００２３】
そして、双方の同軸コネクタ３２，３３は外被導体接続部でもある連結ねじ部３２ａ，３３ａとその中心に設けられた芯線接続ピン３２ｂ，３３ｂとから成り、同軸コネクタ３２，３３のハウジング内側端部は、芯線接続ピン３２ｂ，３３ｂの基端部が突出され、雑音除去回路３６の同軸ケーブル３９の芯線にチップコンデンサ４２ａ，４２ａを介して夫々接続されている。
また、接続する同軸ケーブルの外被導体に電気的に連結される連結ねじ部３２ａ，３３ａはハウジング３１内に突設した雄ねじ部４３ａ、４３ｂを有し、リング型貫通コンデンサ４２ｂを外嵌した後、筒状のシールド金具４４ａ，４４ｂの基部を外嵌して絶縁材から成るナット４５により夫々固定され、コンデンサ４２ｂを介して連結ネジ部３２ａ、３３ａとシールド金具４４ａ、４４ｂが電気的に連結されている。
【００２４】
シールド金具４４ａ、４４ｂは、更に先端に漏斗形状金属製のシールド栓４６ａ、４６ｂが接続され雑音除去回路３６を形成する同軸ケーブル３９の外被導体に隙間無く接続されている。
雑音除去回路３６は、略長方形状の閉磁型フェライトコア３８に細径の同軸ケーブル３９が巻回されて形成されたコイル４０から成り、このコイル４０は同軸ケーブル３９の芯線から構成される第１のコイル４０ａと外被導体から構成される第２のコイル４０ｂとで形成されている。
【００２５】
また双方の同軸コネクタ３２，３３の芯線同士、外被導体同士は夫々伝送信号の通過を阻止して低周波或いは直流の動作電流を通過させる第１のチョークコイル４１ａ、及び第２のチョークコイル４１ｂを介して連結され、第１のチョークコイル４１ａと第１のコイル４０ａ，２個のチップコンデンサ４２ａとは並列接続され、第２のチョークコイル４１ｂと第２のコイル４０ｂ，２個のリング型貫通コンデンサ４２ｂとは並列接続されている。尚、第１のチョークコイル４１ａの接続は、シールド金具４４ａ，４４ｂに貫通端子５０を設け、内部の芯線接続ピン３２ｂ，３３ｂに接続した引き出し線をその貫通端子５０から引き出して行っている。
【００２６】
こうして、コネクタの芯線同士及び外被導体同士は夫々コンデンサを介してコイル或いはチョークコイルにより連結される。但し、コンデンサ４２ａ、４２ｂは伝送信号に重畳している動作電流の通過を阻止するカットコンデンサであり、チョークコイル４１ａ，４１ｂは伝送信号周波数をカットして動作電流を通過させるもので、太径の導体線がフェライトに巻回されて形成されている。
そして、上記実施の形態と同様にプラグ型コネクタ３２及びジャック型コネクタ３３のハウジング３１への連結部、シールド金具４４ａ，４４ｂ、シールド栓４６ａ，４６ｂ、同軸ケーブル３９の外被導体等のアース導体の厚みは何れも０．１ｍｍ以上で形成されている。
【００２７】
このように雑音除去装置を形成することで、雑音除去装置を設けることにより新たな雑音の侵入が発生することがないし、接続するケーブルが機器の動作電流を重畳した形態であっても電流を遮断することがなく、然も小型のフェライトコアを使用できるのでコンパクトにできる。そのため、同軸ケーブルや機器等の信号ケーブル接続部に装着でき、既存の設備に容易に取り付けることができる。
また、第１のコイルと第２のコイルを同軸ケーブルの芯線と外被導体とで形成するので、効果的に外被導体に誘起したノイズを削減できるし、伝送信号のコイル部での減衰量を小さくできる。更に、双方のコネクタを一直線上に配置したので、応力に対して強くでき、張力等の外力が加わる箇所であっても使用できる。
尚、閉磁路型コアは一体形状でなくとも良く、複数のカットコアを組み合わせて円形或いは四角形の閉磁路を形成しても良く、そうすれば安価に作成できる。
【００２８】
図６は他の実施形態を示し、上記図５の形態とは雑音除去回路の構成が異なっている。相違点を説明すると、チョークコイル及びコンデンサを設けず、またコイル４０（４０ａ，４０ｂ）もフェライトに巻回せず閉磁型フェライトコア５１に同軸ケーブル３９を貫通させるだけで形成している。
接続する同軸ケーブルに電流が重畳されていないか低電流の場合は、このように簡素な回路とすることができる。
【００２９】
図７は他の実施形態を示し、斜線部５３が雑音除去回路の形成部であり、プラグ型コネクタ５４を有したハウジング５５内のプラグ基端部に連続して回路形成され、ジャック型コネクタ５６と同軸ケーブル５７を介して接続されて雑音除去装置を形成している。
このように同軸ケーブルを介在させて両接続端子間を長くしても良く、屋内で使用する場合等に別途同軸ケーブルに接続することなく、例えば直列ユニットと機器とを接続することができる。特に図示するように接続方向に対して同軸ケーブルを直交するように設ければ、直列ユニット等に接続した際、プラグハウジングの突出量を小さくでき、壁面端子や据え置き型機器へ僅かなスペースで接続できる。
【００３０】
また、プラグ型コネクタをＦ型プラグとし、ジャック型コネクタをＦ型レセプタクルとすことで、室内の直列ユニット等に直接接続でき、室内用として利用できる。この場合、Ｆ型プラグはねじ無しワンプッシュ形で形成しても良いが、６角又はローレット付プラグとしても良い。また、ジャック型コネクタをＦ型プラグコネクタにすることにより、例えばＦ型プラグ−Ｆ型プラグの様な変換コネクタや接続ケーブルを別途使用する事無く、直接テレビ受像機等の端末装置に接続できる。
【００３１】
図１２は図７の変形例を示し、図示するように、同軸ケーブルを介さず、雑音除去回路を組み付けたハウジング５９にプラグ型コネクタ５４とジャック型コネクタ５６を互いに直交するように設けても良い。このように形成することで上記図７と同様に直列ユニット等に接続する際、突起量を少なくでき、接続スペースが僅かであっても容易に装着できる。
【００３２】
図８は雑音除去回路の他の例を示し、雑音除去回路を回路基板に組付けて形成した説明図であり、プリント基板４７にチョークコイル４１ａ，４１ｂやコンデンサ４２が組み付けられると共にコイル４０ａ，４０ｂのコイル導体がパターン形成されている。コイル形成部にはフェライトコア挿通用の穴６２が２箇所形成され、閉磁型フェライトコア５１が基板に直交するように装着されている。尚、閉磁型フェライトコア５１は、２分割した半円状のフェライトコアを基板４７の穴６２を介して連結して形成されている。そして、第１のコイル４０ａと第２のコイル４０ｂとが独立して形成され、コイル導体は互いに対称にパターン形成されている。また、コンデンサ４２は第１のコイル４０ａ、第２のコイル４０ｂにそれぞれ１つずつ設けられている。
このようにコンデンサを基板上に配置すると共に、第１と第２のコイルを分離して形成しも良く、その場合基板にパターン形成でき、コイル形成を簡易化できる。
【００３３】
図９は雑音除去回路の他の例を示し、コイル４０をプリント基板４７にパターン形成すると共に、コイル４０に直列に変圧器６３を設けてある。このように変圧器をコイルに併設することで、更に効果的に雑音を除去することが可能である。そして、この回路ではコンデンサ４２は第１のコイル４０ａの一方と変圧器６３の２次巻線の芯線側の２箇所に設けてある。
【００３４】
尚、フェライトコアを２個用いてコイルを２段に形成する場合は、閉磁型フェライトコアを２個用いても雑音除去特性を向上させることが可能であるが、上述するように２種類のコアを用いるのが効果的である。また、閉磁型フェライトコア１個でコイルを形成する場合は、図１１に示すように同軸ケーブル３９等の信号線路以外に、例えばポリウレタン導線４８等を閉磁型フェライトコア３８に独立して巻回し、抵抗等の負荷４９をその導線４８に接続した補助巻線を設けても特性を向上させることが可能である。また、上記実施の形態にあっては、同軸コネクタは一方がプラグ型、他方がジャック型であるが、双方をプラグ型としても良いし、双方をジャック型で形成しても良い。
【００３５】
図１３は雑音除去装置の他の実施形態を示している。ここではハウジングを金属製筒体６６で形成し、同軸コネクタ３２と３３の連結を絶縁体６７を介在させておこなっている。このように筒体を金属製とすることもでき、ハウジングの強度を上げることができる。また、雑音除去回路はプリント基板６１上に形成してハウジング内に収納配置され、６８はチョークコイル、６９はフェライトコアを示し、７０は基板６１の一方のアース部とプラグ型コネクタ３２を接続するアース金具、７１は基板６１の他方のアース部とジャック型コネクタ３３とを接続するアース金具であり、双方のアース金具ともプリント基板をシールドするように基板全周に渡り形成されている。
【００３６】
【発明の効果】
以上詳述したように、請求項１の発明に係る雑音除去装置によれば、アース導体部の厚みを表皮深さの２倍以上とすることで、外導体に誘起した伝送信号周波数雑音は外導体の表皮のみに流れ、内側に現れることが無いし、信号は外導体の内側を流れことができ、伝送信号自体に雑音が重畳されることが無くなり、雑音除去装置を設けることによる新たな雑音の侵入はなく、中心導体及び外被導体の双方の雑音を効果的に除去できる。
【００３７】
そして、接続対象のケーブルが電流を重畳した形態であっても、動作電流を遮断することがないし、然も小型のフェライトコアを使用できるのでコンパクトにできる。更に請求項２の発明によれば、同軸ケーブルと機器等の接続部に装着でき、既存の設備に容易に取付けることができる。
【００３８】
請求項３の発明によれば、双方のコネクタを一直線上に配置したので、ハウジングを堅牢に形成することで、張力が加わる場所であっても無理なく使用できる。また、請求項４の発明によれば、同軸ケーブルを介在させることで、特に同軸ケーブルをコネクタに直交するように設ければ、コネクタ部の突出量を小さくでき、壁面端子や据え置き型機器へ僅かなスペースで接続できる。また、別途同軸ケーブルを介在させることなく機器と直列ユニット等を接続できる。
【００３９】
請求項５の発明によれば、２段のコイルで雑音除去するので、更に効果的に雑音除去できるし、請求項６の発明によれば、効果的に外被導体に誘起したノイズを削減できるし、伝送信号の減衰量を小さくできる。
【００４０】
請求項７の発明によれば、コイル導体を基板にパターン形成するため、コイルを簡易に製造できる。また、請求項８の発明によれば、更に効果的に雑音を除去できる。また、請求項９の発明によれば、閉磁型コアを安価に作成できる。
【図面の簡単な説明】
【図１】雑音除去装置の一例を示し、上部半分を断面で示した側面図である。
【図２】図１に組み込まれる雑音除去回路の概観図である。
【図３】図１に組み込まれる雑音除去回路の他の例を示すブロック図である。
【図４】他の雑音除去装置の外観図である。
【図５】本発明に係る雑音除去装置の実施形態を示し、（ａ）は外観図、（ｂ）は断面説明図である。
【図６】雑音除去装置の他の実施形態を示す断面説明図でる。
【図７】雑音除去装置の他の実施形態を示す概略断面である。
【図８】雑音除去回路の他の例を示し、コイル導体を基板上にパターン形成した基板の平面図である。
【図９】雑音除去回路の他の例を示し、コイル導体を基板上にパターン形成した基板の平面図である。
【図１０】図２（ｂ）のコイルの損失特性図である。
【図１１】コイルの他の形態を示し、補助巻線を設けた外観図である。
【図１２】接続端子を直交する位置に配置した雑音除去装置の外観図である。
【図１３】他の実施形態を示す雑音除去装置の断面図である。
【符号の説明】
１・・ハウジング、２・・ジャック型コネクタ（同軸コネクタ）、３・・プラグ型コネクタ（同軸コネクタ）、４・・雑音除去回路、５・・保持筒、７ａ，７ｂ・・シールド体、８ａ，８ｂ・・同軸ケーブル、９・・中心コンタクト、１０ａ，１０ｂ・・保持材、１２・・中心導体、１４・・外被導体、１６・・中心コンタクト、１８・・フェライトコア、１９・・ハイパスフィルタ、２０・・ハウジング、２１・・雑音除去回路、２３・・Ｆ型プラグ、２４・・Ｆ型ジャック、２５・・本体、２６・・同軸ケーブル、３１・・ハウジング、３２・・プラグ型コネクタ、３３・・ジャック型コネクタ、３６・・雑音除去回路、３８・・閉磁型フェライトコア、３９・・同軸ケーブル、４０・・コイル、４０ａ・・第１のコイル、４０ｂ・・第２のコイル、４１・・チョークコイル、４１ａ・・第１のチョークコイル、４１ｂ・・第２のチョークコイル、４２，４２ａ，４２ｂ・・コンデンサ、４４・・シールド金具、４６・・シールド栓、５１・・閉磁型フェライトコア、５４・・プラグ型コネクタ、５５・・ハウジング、５６・・ジャック型コネクタ、５７・・同軸ケーブル、５９・・ハウジング、６１・・プリント基板、６３・・変圧器、６４・・棒状フェライトコア、６６・・金属製筒体、６８・・チョークコイル、６９・・フェライトコア。
【図１】
0004579448.tif 000002
【図２】
0004579448.tif 000003
【図３】
0004579448.tif 000004
【図４】
0004579448.tif 000005
【図５】
0004579448.tif 000006
【図６】
0004579448.tif 000007
【図７】
0004579448.tif 000008
【図８】
0004579448.tif 000009
【図９】
0004579448.tif 000010
【図１０】
0004579448.tif 000011
【図１１】
0004579448.tif 000012
【図１２】
0004579448.tif 000013
【図１３】
0004579448.tif 000014